Podtech/llm-jp-corpus-v4-ja_patent huggingface dataset:
【手続補正書】
【提出日】平成17年9月22日(2005.9.22)
【手続補正１】
【補正対象書類名】特許請求の範囲
【補正対象項目名】全文
【補正方法】変更
【補正の内容】
【特許請求の範囲】
【請求項１】
アルキル基、アルコキシ基、チオアルコキシ基、ハロゲン置換基及びそれらの組合せからなる群から選択された少なくとも１つの置換基を含んでなる置換ペンタセン化合物であって、前記置換基が各々、番号１、２、３、４、８、９、１０及び１１の炭素原子から選択された少なくとも１つの炭素原子に結合され、かつ唯一の置換基であり、ただし、前記化合物が、共にメチル又はアルコキシであるわずか２つの前記置換基しか有さず、一方の前記置換基が前記番号２の炭素原子に結合されている場合、もう一方の前記置換基は、それがメチルである場合には前記番号１、３、４、８又は１１の炭素原子に結合され、アルコキシである場合には前記番号１、３、４、８、９又は１１の炭素原子に結合されており；さらに前記化合物が、全てアルコキシである４つの前記置換基しか有さない場合、前記置換基は前記番号２、３、９及び１０の炭素原子に結合されていることを特徴とする置換ペンタセン化合物。
【請求項２】
前記化合物が、以下の一般式：
【化１】
2005504811.tif 000001
（式中、各々のＲ基が、アルキル基、アルコキシ基、チオアルコキシ基、ハロゲン原子、水素原子及びそれらの組合せからなる群から独立して選択される）で表わされる、請求項１に記載の化合物。
【請求項３】
１，４，８，１１−テトラメチルペンタセン；２，９−ジヘキシルペンタセン；２，１０−ジヘキシルペンタセン；２，９−ジノニルペンタセン；２，１０−ジノニルペンタセン；２，９−ジドデシルペンタセン；２，１０−ジドデシルペンタセン；２，９−ジ−ｓｅｃ−ブチルペンタセン；２，１０−ジ−ｓｅｃ−ブチルペンタセン；２，９−ジ−３，５，５−トリメチルヘキシルペンタセン；２，１０−ジ−３，５，５−トリメチルヘキシルペンタセン；２，９−ジ−２−エチルヘキシルペンタセン；及び２，１０−ジ−２−エチルヘキシルペンタセンからなる群から選択された置換ペンタセン化合物。
【請求項４】
請求項１に記載の化合物、請求項２に記載の化合物、請求項３に記載の化合物、２，９−ジメチルペンタセン、２，１０−ジメチルペンタセン、２，１０−ジアルコキシペンタセン及び１，４，８，１１−テトラアルコキシペンタセンからなる群から選択された少なくとも１種の化合物を含んでなる半導体デバイス。
【請求項５】
請求項４に記載の半導体デバイスを含んでなる物品。
【手続補正２】
【補正対象書類名】明細書
【補正対象項目名】発明の名称
【補正方法】変更
【補正の内容】
【発明の名称】置換ペンタセン化合物、半導体デバイス及び物品
【手続補正書】
【提出日】平成17年9月26日(2005.9.26)
【手続補正１】
【補正対象書類名】特許請求の範囲
【補正対象項目名】全文
【補正方法】変更
【補正の内容】
【特許請求の範囲】
【請求項１】
局在部位を治療するための相乗作用薬剤送逹システムであって：
局所投与第１薬剤；及び
全身投与第２薬剤
を含んでなり、前記第１薬剤及び前記第２薬剤が前記局在部位において相乗的に作用するシステム。
【請求項２】
請求項１記載の薬剤送逹システムであって、前記第２薬剤が、経口、舌下、静脈内、眼内、筋肉内、頭蓋内、腹腔内、経皮、膣内、若しくは直腸内投与され、又はガス注入により、吸入により若しくはカテーテル挿入により投与されるシステム。
【請求項３】
請求項１記載の薬剤送逹システムであって、前記第１薬剤が、ホスホジエステラーゼ阻害物質、スーパーオキシドジスムターゼ、抗炎症性化合物、又は抗酸化剤からなる群から選択されるシステム。
【請求項４】
請求項１記載の薬剤送逹システムであって、前記第１薬剤が、酸化窒素、又は酸化窒素シンターゼをコードする遺伝子であるシステム。
【請求項５】
請求項１記載の薬剤送逹システムであって、前記第１薬剤が、ステント、ガイドワイヤ、カテーテル、トロカール針、骨固定子、骨ネジ、保護プレーティング、股関節及び関節インプラント、電気リード、バイオセンサー、及びプローブからなる群から選択される医療デバイスにより局所投与されるシステム。
【請求項６】
害された部位に薬剤を送達する方法であって：
第１薬剤を害された部位に直接投与すること；及び
第２薬剤を全身投与すること
を含んでなり、前記第１薬剤及び前記第２薬剤が前記害された部位において相乗的に作用する方法。
【請求項７】
請求項６記載の方法であって、前記第１薬剤がステントにより前記害された部位に投与される方法。
【請求項８】
請求項７記載の方法であって、前記第１薬剤が、酸化窒素、又は酸化窒素シンターゼをコードする遺伝子である方法。
【請求項９】
請求項６記載の方法であって、前記第２薬剤が、経口、舌下、静脈内、眼内、筋肉内、頭蓋内、腹腔内、経皮、膣内若しくは直腸内投与され、又はガス注入により、吸入により若しくはカテーテル挿入により投与される方法。
【請求項１０】
請求項６記載の方法であって、前記第２薬剤が、ホスホジエステラーゼ阻害物質、スーパーオキシドジスムターゼ、抗炎症性化合物、又は抗酸化剤からなる群から選択される方法。
【請求項１１】
局在部位に薬剤を送達するための薬剤送逹システムであって：
金属表面を有する医療デバイスであって、前記金属表面が放出可能なようにそれに結合した酸化窒素を有する医療デバイス；及び
全身投与される薬剤
を含んでなるシステム。
【請求項１２】
請求項１１記載の薬剤送逹システムであって、前記医療デバイスが、ステント、ガイドワイヤ、カテーテル、トロカール針、骨固定子、骨ネジ、保護プレーティング、股関節及び関節インプラント、電気リード、バイオセンサー、及びプローブからなる群から選択されるシステム。
【請求項１３】
請求項１１記載の薬剤送逹システムであって、前記全身投与される薬剤が、経口、舌下、静脈内、眼内、筋肉内、頭蓋内、腹腔内、経皮、膣内若しくは直腸内投与され、又はガス注入により、吸入により若しくはカテーテル挿入により投与されるシステム。
【請求項１４】
請求項１１記載の薬剤送逹システムであって、前記全身投与される薬剤が、ホスホジエステラーゼ阻害物質、スーパーオキシドジスムターゼ、抗炎症性化合物、又は抗酸化剤からなる群から選択されるシステム。
【手続補正書】
【提出日】平成17年9月22日(2005.9.22)
【手続補正１】
【補正対象書類名】特許請求の範囲
【補正対象項目名】請求項７
【補正方法】変更
【補正の内容】
【請求項７】
個体が結腸直腸腫瘍に罹患していると特定される、請求項４記載の方法。
【手続補正２】
【補正対象書類名】特許請求の範囲
【補正対象項目名】請求項８
【補正方法】変更
【補正の内容】
【請求項８】
個体が、肺腫瘍、乳房腫瘍、腎臓腫瘍、結腸腫瘍、食道腫瘍、精巣腫瘍、膵臓腫瘍、黒色腫、および絨毛癌からなる群より選択される腫瘍に罹患していると特定される、請求項４記載の方法。
【手続補正３】
【補正対象書類名】特許請求の範囲
【補正対象項目名】請求項１２
【補正方法】変更
【補正の内容】
【請求項１２】
灌流が原発腫瘍摘出の前に行われる、請求項10記載の方法。
【手続補正４】
【補正対象書類名】特許請求の範囲
【補正対象項目名】請求項１３
【補正方法】変更
【補正の内容】
【請求項１３】
灌流が腹部手術と共に行われる、請求項10記載の方法。
【手続補正書】
【提出日】平成17年6月17日(2005.6.17)
【手続補正１】
【補正対象書類名】明細書
【補正対象項目名】００９８
【補正方法】変更
【補正の内容】
【００９８】
実施例
Ｎ−２−ヒドロキシエチル−モルホリン−２，３−ジオンの製造実施例：
シュウ酸ジエチルエステル６５７．６ｇ（４．５モル）を還流冷却器、温度計、ＫＰＧ−撹拌機及び滴下漏斗を備えた２ｌ四ツ口フラスコに装入し、８０℃に加熱する。
【手続補正書】
【提出日】平成17年8月23日(2005.8.23)
【手続補正１】
【補正対象書類名】特許請求の範囲
【補正対象項目名】全文
【補正方法】変更
【補正の内容】
【特許請求の範囲】
【請求項１】
下記の成分（ａ）を、成分（ｂ）、（ｃ）および／または（ｄ）並びに（ｅ）と反応させることによって得られる少なくとも１種の反応性ＮＣＯ基保有反応生成物を含有する１成分系の湿分硬化性ポリウレタンホットメルト接着剤：
（ａ）少なくとも１種のジイソシアネートもしくはポリイソシアネート
（ｂ）ポリエーテル−ポリオールおよび／またはアルキレンジオール（この場合、ポリエーテル−ポリオールとして、１０００よりも高い平均分子量を有する少なくとも１種のジオールおよび１０００未満の平均分子量を有する少なくとも１種のジオールを使用する）
（ｃ）結晶性もしくは部分結晶性ポリエステル−ポリオール
（ｄ）オレフィン性不飽和モノマーから調製される低分子量ポリマー
（ｅ）所望による粘着付与性樹脂。
【請求項２】
低分子量ポリマーが活性水素基を有する請求項１記載のポリウレタンホットメルト接着剤。
【請求項３】
粘着付与性樹脂が活性水素基を有する請求項１または２記載のポリウレタンホットメルト接着剤。
【請求項４】
ポリ（メタ）アクリレートに基づく単層もしくは多層表面フィルムを熱可塑性樹脂、木材またはアルミニウム、特にＰＶＣ、ポリプロピレンまたはＡＢＳを材質とする支持体に接着させるための請求項１から３いずれかに記載のポリウレタンホットメルト接着剤の使用。
【請求項５】
多層フィルムが、着色した（メタ）アクリレートのポリマーもしくはコポリマーに基づく基体フィルムおよび無色のメタクリレートコポリマー、ポリビニリデンフルオリドもしくはポリビニルフルオリドに基づく表面フィルムから形成される請求項４記載の使用。
【請求項６】
ポリビニルクロリド（ＰＶＣ）、ポリプロピレン、アクリロニトリル／ブタジエン／スチレンターポリマー（ＡＢＳ）、木材またはアルミニウムを材質とする造形品上へのポリ（メタ）アクリレートに基づく単層もしくは多層表面フィルムの積層方法であって、下記の工程（ａ）〜（ｄ）を含む該積層方法：
（ａ）接着されるべき表面フィルムの側部の表面処理をコロナ処理、プライマーの塗布またはクリーナーを用いる前処理によっておこなった後、所望により該フィルムを予熱し、
（ｂ）請求項１から３いずれかに記載のホットメルト接着剤を塗布し、
（ｃ）プライマーの塗布またはクリーナーを用いる処理によって造形品の表面を前処理した後、所望により、揮発性成分を蒸発させ、所望により熱を加え、所望によりさらにコロナ処理または火焔吹付をおこない、
（ｄ）該フィルムを、所望による加圧条件下において、造形品と接合させる。
【請求項７】
工程（ａ）を省略する請求項６記載の方法。
【請求項８】
工程（ｃ）を省略する請求項６または７記載の方法。
【請求項９】
請求項６から８いずれかに記載の方法によって製造される積層造形品のドア、正面要素およびドアと窓の枠としての使用。
【手続補正書】
【提出日】平成17年9月22日(2005.9.22)
【手続補正１】
【補正対象書類名】特許請求の範囲
【補正対象項目名】全文
【補正方法】変更
【補正の内容】
【特許請求の範囲】
【請求項１】
水性ポリウレタン分散液を含む塗料組成物であって、前記ポリウレタンが重合性アクリレート官能基を含まず、前記ポリウレタンが（ａ）１００℃より高い沸点を有する剥離共溶媒と（ｂ）金属塩の分散液またはワックスの分散液の一方または両方を含む剥離添加剤を含み、その塗料組成物が乾燥手段によるかまたはよらないで乾燥させて、乾燥剥離性ポリウレタン塗料を提供することができる、塗料組成物。
【請求項２】
前記剥離添加剤は、グリセロール、グリセロールのオリゴマー、エチレングリコールのエーテルおよびエステル、ポリエチレングリコール、ポリエチレングリコールのエーテルおよびエステル、ペンタエリトリトールエトキシレート、ヒマシ油、スルホン化ヒマシ油、ステアリン酸の金属塩の分散液、エトキシル化ポリジメチルシロキサンおよび分散ワックスからなる群から選択される、請求項１に記載の塗料組成物。
【請求項３】
前記ポリウレタンは、ａ）ポリウレタン−ウレアまたはスルホポリ（エステル−ウレタン）のすべてが一個以上のシリル基で末端封止されていてもよい、ポリウレタン−ウレアまたはスルホポリ（エステル−ウレタン）およびｂ）カルボキシレート官能性ポリウレタン−ウレアまたはスルホネート官能性ポリウレタン−ウレアからなる群から選択される、請求項１または２に記載の塗料組成物。
【請求項４】
複合物品であって、
ａ）前記物品の少なくとも一つの表面上に有する無孔基材と、
ｂ）請求項１〜３のいずれか一項に記載の塗料組成物で形成された剥離性保護用の乾燥された水性ポリウレタン塗料組成物と
を含む複合物品であって、前記無孔基材が熱性形成材料を含むかまたは含まない、複合物品。
【請求項５】
成形品を製造するために熱成形されている、請求項４に記載の複合物品。
【請求項６】
無孔基材の保護方法であって、無孔基材を提供する工程、請求項１〜３のいずれか一項に記載の塗料組成物を前記基材の少なくとも一表面に適用する工程、およびその塗料組成物を乾燥させて剥離性保護乾燥水性ポリウレタンコーティングを形成する工程、
を含む方法。
【請求項７】
請求項６に記載の無孔基材の保護方法であって、剥離用溶剤を用いないで、剥離性保護乾燥水性ポリウレタンコーティングを無孔基材から剥離する工程をさらに有する、方法。
【手続補正書】
【提出日】平成17年7月19日(2005.7.19)
【手続補正１】
【補正対象書類名】特許請求の範囲
【補正対象項目名】全文
【補正方法】変更
【補正の内容】
【特許請求の範囲】
【請求項１】
第１の主面および第２の主面を有する少なくとも１つの接着剤層であって、前記第１および第２の主面の少なくとも１つが構造化面である接着剤層と、接着剤層の構造化面と接触するキャップ層とを含む物品であって、前記キャップ層と接触する前記接着剤層の構造化面の領域は完全にカプセル化されたリザーバーまたはチャネルの配列を形成している、物品。
【請求項２】
（ａ）第１の主面および第２の主面を有する第１の接着剤層であって、前記第１および第２の主面の少なくとも１つが構造化面である第１の接着剤層と、
（ｂ）第１の主面および第２の主面を有する第２の接着剤層であって、前記第１および第２の主面の少なくとも１つが構造化面である第２の接着剤層と、
を含む積層物品であって、前記第１の接着剤層と第２の接着剤層とは、分離したリザーバーの配列を形成し、各々の分離したリザーバーは約２０ｎＬ未満の空隙体積を有する、積層物品。
【請求項３】
（ａ）第１の主面および第２の主面を有する第１の接着剤層であって、前記第１および第２の主面の少なくとも１つが構造化面である第１の接着剤層と、
（ｂ）第１の主面および第２の主面を有する第２の接着剤層であって、前記第１および第２の主面の少なくとも１つが構造化面である第２の接着剤層と、
を含む積層物品であって、前記第１の接着剤層と第２の接着剤層とはチャネルの配列を形成している、積層物品。
【請求項４】
積層体の製造方法であって、（ａ）接着剤を工具の構造化面に適用して、構造化面および非構造化面を有する接着剤層を形成するステップと、（ｂ）バッキングを前記接着剤層の前記非構造化面に積層して、予備積層体を形成するステップと、（ｃ）前記予備積層体を前記工具から取り外すステップと、（ｄ）前記予備積層体の前記構造化面にキャップ層を積層し、前記接着剤層の構造化面と前記キャップ層は積層体内に完全にカプセル化されたリザーバーまたはチャネルの配列を形成する、ステップを含む製造方法。
【請求項５】
積層体の製造方法であって、（ａ）構造化された第１の主面および構造化されていない第２の主面を有する第１の接着剤層を含む第１の予備積層体と、前記第１の予備積層体の前記第１の主面と接触するキャップ層とを提供するステップと、（ｂ）構造化された第１の主面および構造化されていない第２の主面を有する第２の接着剤層を含む第２の予備積層体と、前記第２の予備積層体の前記第２の主面と接触するバッキングとを提供するステップと、（ｃ）前記第１の予備積層体の前記第２の主面を前記第２の予備積層体の前記第１の主面と接触させるステップとを含み、前記第１の予備積層体と前記第２の予備積層体は完全にカプセル化されたリザーバーまたはチャネルの配列を形成する、製造方法。
【請求項６】
前記完全にカプセル化されたリザーバーまたはチャネルの配列の少なくとも一部を少なくとも１種の送達性または非送達性の物質で充填するステップをさらに含む、請求項５記載の方法。
【請求項７】
積層体の製造方法であって、（ａ）構造化された第１の主面および構造化されていない第２の主面を有する第１の接着剤層を含む第１の予備積層体と、前記第１の予備積層体の前記第２の主面と接触する第１のバッキング層とを提供するステップと、（ｂ）構造化された第１の主面および構造化されていない第２の主面を有する第２の接着剤層を含む第２の予備積層体と、前記第２の予備積層体の前記第２の主面と接触する第２のバッキング層とを提供するステップと、（ｃ）前記第１の予備積層体の前記第１の主面を前記第２の予備積層体の前記第１の主面と接触させるステップと、
を含み、前記第１の予備積層体と前記第２の予備積層体は完全にカプセル化されたリザーバーまたはチャネルの配列を形成する、製造方法。
【請求項８】
積層体の製造方法であって、（ａ）構造化された第１の主面および構造化されていない第２の主面を含む第１の予備積層体を提供するステップと、（ｂ）第１の構造化された主面および第２の構造化されていない主面を含む第２の予備積層体と、前記第２の予備積層体の前記第２の主面と接触するバッキング層とを提供するステップと、（ｃ）前記第１の予備積層体の前記第２の主面を前記第２の予備積層体の前記第１の主面と接触させるステップと、を含み、前記第１の予備積層体と前記第２の予備積層体は約２０ｎＬ未満の空隙体積を有する、完全にカプセル化されたリザーバーの配列を形成する、製造方法。
【請求項９】
積層体の製造方法であって、（ａ）構造化された第１の主面および構造化されていない第２の主面を含む第１の予備積層体を提供するステップと、（ｂ）第１の構造化された主面および第２の構造化されていない主面を含む第２の予備積層体と、前記第２の予備積層体の前記第２の主面と接触するバッキング層とを提供するステップと、（ｃ）前記第１の予備積層体の前記第２の主面を前記第２の予備積層体の前記第１の主面と接触させるステップと、を含み、前記第１の予備積層体と前記第２の予備積層体はチャネルの配列を形成する、製造方法。
【手続補正２】
【補正対象書類名】明細書
【補正対象項目名】００１６
【補正方法】変更
【補正の内容】
【００１６】
図１Ａを参照すると、一態様において本発明は、第１の主面１４および第２の主面１６を有する層１２を含む積層物品１０である。第１の主面１４は、構造のパターン１８と、対応するランドエリア２０とを含む。米国特許第６，１９７，３９７  Ｂ１号明細書（シェル（Ｓｈｅｒ）ら）、第５，８９７，９３０号明細書（カルホーン（Ｃａｌｈｏｕｎ）ら）、ならびに第５，６５０，２１５号明細書および第６，１２３，８９０号明細書（マズレク（Ｍａｚｕｒｅｋ）ら）（これらの記載内容を本明細書に援用する）に記載される規則的な配列の構造が好ましい。キャップ層２２は、層１２の構造化面１４と接触するように配置され、少なくとも部分的にカプセル化（封入）されたチャネルあるいはリザーバーまたはチャネル２４の配列を形成される。チャネルおよびリザーバーまたはチャネル２４の寸法、形状、分布、および含有量は、積層物品１０の性質を調整するために選択してよい。層１２およびキャップ層２２用に選択される材料は、意図する用途に応じて広範囲で変動させることができる。たとえば、図１Ａに示される実施態様では、層１２は構造化されたポリマーフィルムであり、キャップ層２２は非構造化接着剤層である。
【手続補正３】
【補正対象書類名】明細書
【補正対象項目名】００１７
【補正方法】変更
【補正の内容】
【００１７】
図１Ｂを参照すると、好ましい実施態様の本発明は、少なくとも１つの構造化主面１２０を有する接着剤層１１０を含む積層物品１０２である。表面１２０は、複数の構造１１４と、対応するランドエリア１１６の配列とを含む。構造化面１２０の少なくとも一部の上にある構造１１４および／またはランドエリア１１６は、キャップ層１００と接触している。キャップ層１００が重ねられる構造化面１２０の領域は、完全または部分的にカプセル化（封入）されたリザーバーまたはチャネル１４０の配列を含む。接着剤層１１０は、構造化されてもされなくてもよい第２の主面１３０をさらに含む。構造化されていないと本明細書で記載される表面は、表面構造を有さない。
【手続補正書】
【提出日】平成17年8月8日(2005.8.8)
【手続補正１】
【補正対象書類名】特許請求の範囲
【補正対象項目名】全文
【補正方法】変更
【補正の内容】
【特許請求の範囲】
【請求項１】
透明なフィルムを含む第１層であって、第１主表面及び第２主表面を有する第１層と、
流体輸送基材を含む第２層であって、第１主表面及び第２主表面を有し、第２層の第１主表面が第１層の第２主表面と接触している第２層と、
流体輸送可能インクを含む第３層であって、第２層の第２主表面と係合している第３層と、
接着剤層と、
を含む接着剤物品。
【請求項２】
前記基材が吸水性である、請求項１に記載の接着剤物品。
【請求項３】
前記基材が多孔性である、請求項１に記載の接着剤物品。
【請求項４】
前記第１層が穴を画定し、それによって第２層を露出する、請求項１に記載の接着剤物品。
【請求項５】
前記第１層及び第２層が穴を画定し、それによって第３層を露出する、請求項１に記載の接着剤物品。
【請求項６】
前記流体輸送可能インクが水溶性インクを含む、請求項１に記載の接着剤物品。
【請求項７】
透明なフィルム及び接着剤を含む第１層であって、第１主表面及び第２主表面を有する第１層と、
流体輸送基材を含む第２層であって、第１主表面及び第２主表面を有し、前記第２層の前記第１主表面が、前記第１層の前記第２主表面と部分的に接触しており、かつ部分的に露出している第２層と、
流体輸送可能インクを含む第３層であって、前記第２層の前記第２主表面と係合している第３層と、
を含む接着剤物品、及び、
前記接着剤物品第３層の前記第２主表面と接触しているデバイス
を含み、
前記接着剤が前記物品と接触するように、前記第１層が前記第２及び前記第３層を越えて延在している、水接触表示システム。
【請求項８】
透明なフィルムを含む第１層であって、第１主表面及び第２主表面を有する第１層と、
流体輸送基材を含む第２層であって、第１主表面及び第２主表面を有し、前記第２層の前記第１主表面が前記第１層の前記第２主表面と接触している第２層と、
流体輸送可能インクを含む第３層であって、前記第２層の前記第２主表面と関連している前記第３層と、
接着剤層と、
前記第１層の前記第１主表面上の印刷層と、
を含むラベル。
【手続補正書】
【提出日】平成17年6月29日(2005.6.29)
【手続補正１】
【補正対象書類名】特許請求の範囲
【補正対象項目名】全文
【補正方法】変更
【補正の内容】
【特許請求の範囲】
【請求項１】
ａ）分枝または直鎖第一級アルコールエトキシレート、第二級アルコールエトキシレート、分枝デシル／トリデシルアルコールエトキシレート、分枝または直鎖アルキルフェノールエトキシレート、分枝または直鎖アルキルアミンエトキシレート、アルキルエーテルアミンエトキシレート、分枝または直鎖アルコールアルコキシレート、アルキルグリコシド、およびそれらの混合物からなる群より選択される非イオン性界面活性剤、
ｂ）一般式（Ｉ）、
【化１】
2005504876.tif 000001
（式中、Ｒ1およびＲ2は同一または異なり、アルキルおよび置換アルキル基からなる群より選択され、Ｒ3は約１０〜２０個の炭素原子を有する直鎖アルキル、分枝鎖アルキル、直鎖ヘテロアルキル、および分枝鎖ヘテロアルキルからなる群より選択され、Ｒ4は、１〜約５個の炭素原子を有するアルキル基からなる群より選択され（好ましくはメチル）、Ｘはハロゲン原子、好ましくは原子塩素である。）を有する第四級アミン塩界面活性剤、
ｃ）わずかに水溶性の極性有機化合物、および
ｄ）水を含む、炭化水素含有汚れを除去するための組成物。
【請求項２】
わずかに水溶性の極性有機化合物が炭化水素またはハロカーボンでなく、酸素、窒素、イオウ、リン含有官能基の１つ以上のヘテロ原子を含有し、約７〜約１６個の炭素原子を含有するアルキル基を含有する、請求項１に記載の組成物。
【請求項３】
わずかに水溶性の極性有機化合物が、アルコール、アルデヒド、ケトン、エーテル、グリコールエーテル、酸、アミン、エステル、Ｎ−アルキルピロリドン、およびそれらの相溶性混合物の群より選択される部分を含有する、請求項２に記載の組成物。
【請求項４】
非イオン性界面活性剤と第四級アミン塩界面活性剤との重量比が約１：４〜約４：１の範囲である、請求項１に記載の組成物。
【請求項５】
非イオン性界面活性剤と第四級アミン塩界面活性剤との重量比が約１：１である、請求項４に記載の組成物。
【請求項６】
活性のわずかに水溶性の極性有機化合物と活性の界面活性剤（非イオン性界面活性剤および第四級アミン塩）との重量比が約０．１：１〜約１：１の範囲である、請求項１に記載の組成物。
【請求項７】
ａ）有効量の請求項１に記載の組成物を汚れた表面に塗布するステップと、
ｂ）組成物を表面に塗布した後に、研磨物品による機械的操作を表面で実施するステップと、
を含む、炭化水素含有汚れを汚れたものから除去する方法。
【請求項８】
機械的操作を実施するステップの後に、表面から組成物を除去するステップをさらに含む、請求項７に記載の方法。
【手続補正書】
【提出日】平成17年9月2日(2005.9.2)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2005504871.tif 000001
〔ここで、
Ｘ1およびＸ2は、独立して、−ＣＨ＝ＣＨ2、−ＣＨ2ＣＨ2ＯＨまたは−ＣＨ2ＣＨ2Ｙであり、Ｙはアルカリ脱離性基であり、
Ｒ1およびＲ2は、独立して、Ｈまたは−ＳＯ3Ｈであり、そして
Ｑは、ハロゲン化ピリミジン反応性基である〕
の化合物およびまたこれらの塩並びにそれらの混合物。
【請求項２】
Ｘ1およびＸ2が各々、−ＣＨ＝ＣＨ2または−ＣＨ2ＣＨ2Ｙであり、各Ｙが独立して−ＯＳＯ3Ｈ、−Ｃｌまたは−ＳＳＯ3Ｈであり、そして
Ｑが、次のハロゲン化ピリミジン反応性基
【化２】
2005504871.tif 000002
の一つである
ことを特徴とする、請求項１に記載の化合物およびまたこれらの塩並びにそれらの混合物。
【請求項３】
Ｘ1およびＸ2が各々、−ＣＨ＝ＣＨ2または−ＣＨ2ＣＨ2ＯＳＯ3Ｈであり、そして
Ｑが、次のピリミジン反応性基
【化３】
2005504871.tif 000003
を表す
ことを特徴とする、請求項１に記載の化合物およびまたこれらの塩並びにそれらの混合物。
【請求項４】
式（Ｉ）の化合物を製造する方法において、式（ＩＩ）
【化４】
2005504871.tif 000004
〔ここで、個々の置換基は各々、請求項１に定義されたとおりである〕
の化合物をジアゾ化し、そして式（ＩＩＩ）
【化５】
2005504871.tif 000005
〔ここで、個々の置換基は各々、請求項１に定義されたとおりである〕
の化合物とカップリングすることを特徴とする方法。
【請求項５】
ヒドロキシル含有または窒素含有有機基材を染色または捺染するための、請求項１に記載の式（Ｉ）の化合物およびまたこれらの混合物並びにそれらの塩の使用。
【請求項６】
天然もしくは合成ポリアミドまたは天然もしくは再生セルロースを含む皮革および繊維材料を染色または捺染するための、請求項５に記載の式（Ｉ）の化合物およびまたこれらの混合物並びにそれらの塩の使用。
【請求項７】
綿を含む生地材料を染色または捺染するための、請求項５に記載の式（Ｉ）の化合物およびまたこれらの混合物並びにそれらの塩の使用。
【請求項８】
インキジェット印刷インキ中の成分としての、式（Ｉ）の化合物およびまたこれらの混合物並びにそれらの塩の使用。
【請求項９】
請求項１に記載の式（Ｉ）の化合物およびまたこれらの混合物並びにそれらの塩で染色または捺染されたセルロース、ポリアミドまたは動物繊維を含む基材。
【請求項１０】
請求項８に記載のインキジェット印刷インキで印刷された、紙を含むかまたはセルロース、ポリアミドもしくは動物繊維を含む基材。
【手続補正２】
【補正対象書類名】明細書
【補正対象項目名】０００６
【補正方法】変更
【補正の内容】
【０００６】
式（Ｉ）の特に好ましい化合物において、
Ｘ1およびＸ2は各々、−ＣＨ＝ＣＨ2または−ＣＨ2ＣＨ2ＯＳＯ3Ｈであり、そしてＱは、次のピリミジン反応性基
【化３】
2005504871.tif 000006
を表す。
【手続補正３】
【補正対象書類名】明細書
【補正対象項目名】００１８
【補正方法】変更
【補正の内容】
【００１８】
本発明は、同様に、かかる化合物、それらの塩、または混合物を含むインキジェット印刷インキで印刷されたところの、紙を含む基材、およびセルロース、ポリアミドまたは動物繊維を含む基材を提供する。
【手続補正書】
【提出日】平成17年7月12日(2005.7.12)
【手続補正１】
【補正対象書類名】特許請求の範囲
【補正対象項目名】全文
【補正方法】変更
【補正の内容】
【特許請求の範囲】
【請求項１】
ａ）式(II)
ＲF−Ｃ(Ｏ)−ＣＨ＝ＣＨ−ＮＨ2            (II)
のアミノケトンを、５〜１５０mbarの範囲の減圧下で、縮合反応において、式(III)〜(Ｖ)
（Ｒ1Ｚ)ＣＨ＝ＣＨ−ＣＯＯＲ              (III)
（Ｒ1Ｚ)2ＣＨ−ＣＨ2−ＣＯＯＲ            (IV)
ＨＣ≡Ｃ−ＣＯＯＲ                        (Ｖ)
（式中、Ｒ1は、（Ｃ1−Ｃ6）−アルキルであり、そしてＺは、Ｏ、Ｓ、ＮＲ1又はＣ（Ｏ）Ｏである）の化合物と反応させて式(VI)及び／又は(VII)
ＲF−Ｃ(Ｏ)−ＣＨ＝ＣＨ−ＮＨ−ＣＨ＝ＣＨ−ＣＯＯＲ            (VI)
ＲF−Ｃ(Ｏ)−ＣＨ＝ＣＨ−ＮＨ−ＣＨ(ＺＲ1)−ＣＨ2−ＣＯＯＲ    (VII)
の化合物を得、そして
ｂ）反応生成物を閉環反応にかけることからなる、式(Ｉ)
【化１】
2005504791.tif 000001
（式中、ＲFは、（Ｃ1−Ｃ4）−ハロアルキルであり、そしてＲは、（Ｃ1−Ｃ6）−アル
キルである）の４−ハロアルキルニコチン酸エステルの製造方法。
【請求項２】
式(Ｉ)〜(VII)において、ＲはＣＨ3であり、そしてＲFはＣＦ3である、請求項１に記載の方法。
【請求項３】
工程ａ）を、ＫＯ−tＢｕ及びＮａＯＭｅからなる群より選ばれる塩基の存在下で実施
する、請求項１または２に記載の方法。
【請求項４】
工程ｂ）を、アルカリ金属炭酸塩及び／又はアルカリ土類金属炭酸塩の存在下で実施す
る、請求項１〜３のいずれか１項に記載の方法。
【請求項５】
請求項１〜４のいずれか１項に記載の方法に従って得た式(Ｉ)
【化２】
2005504791.tif 000002
（式中、ＲFは、（Ｃ1−Ｃ4）−ハロアルキルであり、そしてＲは、（Ｃ1−Ｃ6）−アル
キルである）の４−（Ｃ1−Ｃ4）−ハロアルキルニコチン酸エステルをアンモノリシスにかけることからなる、４−（Ｃ1−Ｃ4）−ハロアルキルニコチンアミド(VIII)
【化３】
2005504791.tif 000003
（式中、ＲFは、（Ｃ1−Ｃ4）−ハロアルキルである）の製造方法。
【請求項６】
式(II)
ＲF−Ｃ(Ｏ)−ＣＨ＝ＣＨ−ＮＨ2            (II)
の４−アミノブテノンを、５〜１５０mbarの範囲の減圧下で縮合反応において、式(III)
〜(Ｖ)
（Ｒ1Ｚ)ＣＨ＝ＣＨ−ＣＯＯＲ              (III)
（Ｒ1Ｚ)2ＣＨ−ＣＨ2−ＣＯＯＲ            (IV)
ＨＣ≡Ｃ−ＣＯＯＲ                        (Ｖ)
の化合物と反応させることからなる式(VI)及び／又は(VII)
ＲF−Ｃ(Ｏ)−ＣＨ＝ＣＨ−ＮＨ−ＣＨ＝ＣＨ−ＣＯＯＲ            (VI)
ＲF−Ｃ(Ｏ)−ＣＨ＝ＣＨ−ＮＨ−ＣＨ(ＺＲ1)−ＣＨ2−ＣＯＯＲ    (VII)
（式中、ＲFは、（Ｃ1−Ｃ4）−ハロアルキルであり、Ｒ、Ｒ1は、同じか又は異なる（Ｃ1−Ｃ6）−アルキルであり、そしてＺは、Ｏ、Ｓ、ＮＲ1又はＣ(Ｏ)Ｏである）の化合物
の製造方法。
【誤訳訂正書】
【提出日】平成17年8月3日(2005.8.3)
【誤訳訂正１】
【訂正対象書類名】特許請求の範囲
【訂正対象項目名】全文
【訂正方法】変更
【訂正の内容】
【特許請求の範囲】
【請求項１】
眼周囲または結膜下投与のための、薬理学的に許容される生体適合性ポリマー中に包埋されている活性剤を含んでなる眼用デポー製剤であって、該ポリマーがポリオールのポリラクチド−コ−グリコライドエステルであり、該ポリオールが少なくとも３つのヒドロキシル基を有し、分子量が２０,０００までである眼用デポー製剤。
【請求項２】
ポリマーが該ポリオールの４０／６０から６０／４０ポリラクチド−コ−グリコライドエステルである、請求項１に記載の製剤。
【請求項３】
該ポリオールがグルコースまたはマンニトールである、請求項１に記載の製剤。
【請求項４】
該製剤が、純粋な活性剤のマイクロパーティクルを含んでなる、請求項１に記載の製剤。
【請求項５】
マイクロパーティクルの外部表面が実質的に活性成分を含まない、請求項４に記載の製剤。
【請求項６】
活性剤が溶解または分散し、製剤が液体である、請求項１に記載の製剤。
【請求項７】
製剤が、注射後に注射部位でデポーを形成する、請求項６の液体製剤。
【請求項８】
活性剤が式(Ｉ)のスタウロスポリン、式(ＩＩ)のフタラジンまたは眼科的に許容されるそれらの塩であり、式(Ｉ)および(ＩＩ)は以下に定義の通りである、請求項１〜７のいずれかに記載の製剤。
【化１】
2005504797.tif 000001
【請求項９】
眼疾患の処置における使用のための、請求項１に記載の製剤。
【請求項１０】
該製剤が、有効量で長期間維持される活性剤を提供する、請求項９に記載の製剤。
【請求項１１】
活性剤が３ヶ月まで有効量にて維持される、請求項１０に記載の製剤。
【誤訳訂正２】
【訂正対象書類名】明細書
【訂正対象項目名】００１５
【訂正方法】変更
【訂正の内容】
【００１５】
適当なポリマーとしては、
(a)ポリオール部分、例えばグルコースから放散する直鎖である、直鎖または分枝鎖ポリエステル、
(b)Ｄ−、Ｌ−またはラセミのポリ乳酸、ポリグリコール酸、ポリヒドロキシ酪酸、ポリカプロラクトン、ポリアルキレンオキサレート、Ｋｒｅｂの回路、例えばクエン酸回路の酸のポリアルキレングリコールエステルなど、およびそれらの組合せ、
(c)有機エーテル、無水物、アミド、およびオルトエステルのポリマー
(d)有機エステル、エーテル、無水物、アミドおよびオルトエステルだけでのコポリマー、または他のモノマーと組み合わせたコポリマー
(e)ポリビニルアルコール
が挙げられる。
【誤訳訂正３】
【訂正対象書類名】明細書
【訂正対象項目名】００２３
【訂正方法】変更
【訂正の内容】
【００２３】
脂質マイクロパーティクルに適した脂質封入剤としては、ホスファチジルコリン(ＰＣ)、ホスファチジルセリン(ＰＳ)、およびホスファチジルエタノールアミン(ＰＥ)のようなホスファチジル化合物、スフィンゴ脂質、セレブロシド、ガングリオシド、ステロイド、例えばコレステロールなどが挙げられる。
【手続補正書】
【提出日】平成17年7月11日(2005.7.11)
【手続補正１】
【補正対象書類名】特許請求の範囲
【補正対象項目名】請求項８
【補正方法】変更
【補正の内容】
【請求項８】
第一手段、例えば芯要素（９）の外部頭部（１４）はコード（３）から芯要素（９）を引き出す補助工具用握り要素を形成する突起１５を有することを特徴とする請求項６或いは７に基づく耐火性及び／又は絶縁性合成ガラスの中空空間（５）を充填する装置。
【手続補正書】
【提出日】平成17年9月27日(2005.9.27)
【手続補正１】
【補正対象書類名】特許請求の範囲
【補正対象項目名】全文
【補正方法】変更
【補正の内容】
【特許請求の範囲】
【請求項１】
ドープアルミニウム酸化物を含む粒子の集合体であって、前記粒子が約５０ｎｍ未満の平均直径を有する粒子の集合体。
【請求項２】
事実上、粒子の集合体の平均直径の約四倍より大きい直径を有する粒子が存在しない、請求項１記載の粒子の集合体。
【請求項３】
少なくとも約９５パーセントの粒子が平均直径の約４０パーセントより大きく、平均直径の約１６０パーセントより小さい直径を有するような粒子サイズの分布を、粒子の集合体が有する、請求項１記載の粒子の集合体。
【請求項４】
アルミニウム酸化物粒子が、アルミニウムに対するドーパント金属の比率に基づいて、約０．０５モルパーセント乃至約５モルパーセントを含む、請求項１記載の粒子の集合体。
【請求項５】
請求項１記載の粒子の集合体を含むコーティング。
【請求項６】
ドープアルミニウム酸化物粒子の製造に関する方法であって、流動生成物ストリーム内でドープアルミニウム酸化物粒子を形成するために、アルミニウム先駆物質と、酸素源と、ドーパント先駆物質とを含む流動反応物ストリームを反応させるステップを備える方法。
【請求項７】
反応物ストリームが、エアロゾルを含む、請求項６記載の方法。
【請求項８】
反応物ストリームの反応が、光ビームから吸収された熱によって駆動される、請求項６記載の方法。
【請求項９】
コーティングを形成するために、ドープアルミニウム酸化物粒子を伴う流動ストリームを基板に方向付けるステップを更に備える、請求項６記載の方法。
【請求項１０】
生成サブミクロン結晶性アルミニウム酸化物粒子を製造する方法であって、アルミニウム酸化物粒子の結晶構造を変換して生成結晶性アルミニウム酸化物粒子を製造するために、先駆サブミクロン炭素コーティングアルミニウム酸化物粒子の集合体を還元環境で加熱するステップを含み、前記生成結晶性アルミニウム酸化物粒子が、先駆アルミニウム酸化物粒子とは異なる結晶構造を伴う粒子を含む方法。
【手続補正書】
【提出日】平成17年7月5日(2005.7.5)
【手続補正１】
【補正対象書類名】特許請求の範囲
【補正対象項目名】全文
【補正方法】変更
【補正の内容】
【特許請求の範囲】
【請求項１】
第１および第２修飾オリゴヌクレオチドを含む２以上の修飾オリゴヌクレオチドを含有する、病理学的疾患または障害に罹患した哺乳動物において投与するのに好適な組成物であって、第１および第２修飾オリゴヌクレオチドがアキラルな5’から3’へのヌクレオチド間ホスフェート結合によって結合された７個以上の連続するリボース基を含む約７〜75個のヌクレオチドを含み、第１オリゴヌクレオチドが該病理学的疾患または障害と関連する第１遺伝子の領域に相補的であり、第２オリゴヌクレオチドが該病理学的疾患または障害と関連する第２遺伝子の領域に相補的である、上記組成物。
【請求項２】
哺乳動物がヒトである、請求項１記載の組成物。
【請求項３】
１以上のオリゴヌクレオチドがリボヌクレオチドである、請求項１記載の組成物。
【請求項４】
１以上のオリゴヌクレオチドがデオキシリボヌクレオチドである、請求項１記載の組成物。
【請求項５】
第１修飾オリゴヌクレオチドが、5’UTR領域、翻訳開始部位、3’UTRおよび翻訳終結部位からなる群より選択される第１遺伝子の領域に相補的であり、第２修飾オリゴヌクレオチドが、5’UTR領域、翻訳開始部位、3’UTRおよび翻訳終結部位からなる群より選択される第２遺伝子の領域に相補的である、請求項１記載の組成物。
【請求項６】
第１および第２遺伝子が表１から選択される遺伝子である、請求項１記載の組成物。
【請求項７】
病理学的疾患が、食欲異常、高血圧、高コレステロール血症、高脂血症、勃起機能不全、湿疹、うつ病、不安、ストレス、炎症性腸症候群、潰瘍性大腸炎、クローン病、腎結石、胆石、便秘、片頭痛、発作、多発性硬化症、多発性筋肉痛、線維筋痛、パーキンソン病、ALS、慢性痛、月経前症候群、副鼻腔炎、感冒、外傷、手根管症候群、慢性疲労症候群、酒さ、関節炎、乾癬、前立腺炎、炎症、胸やけ、感染、うるしかぶれ、結腸癌、悪性黒色腫および悪性鼻ポリープからなる群より選択される、請求項１記載の組成物。
【請求項８】
１以上の修飾オリゴヌクレオチドが、前記遺伝子の発現を減じるのに有効な濃度で存在する、請求項１記載の組成物。
【請求項９】
各修飾オリゴヌクレオチドが100μg/kg未満の投与量で投与される、請求項８記載の組成物。
【請求項１０】
各修飾オリゴヌクレオチドが50μg/kg未満の投与量で投与される、請求項８記載の組成物。
【請求項１１】
各修飾オリゴヌクレオチドが5.0μg/kg未満の投与量で投与される、請求項８記載の組成物。
【請求項１２】
各修飾オリゴヌクレオチドが0.50μg/kg未満の投与量で投与される、請求項８記載の組成物。
【請求項１３】
各修飾オリゴヌクレオチドが0.050μg/kg未満の投与量で投与される、請求項８記載の組成物。
【請求項１４】
各修飾オリゴヌクレオチドが0.0050μg/kg未満の投与量で投与される、請求項８記載の組成物。
【請求項１５】
修飾オリゴヌクレオチドが経口投与に適当である、請求項１記載の組成物。
【請求項１６】
１以上の修飾オリゴヌクレオチドが、1mMの濃度で約75-115℃のTmおよび10〜26個の塩基長を有するか、または1pMの濃度で40〜85℃のTmおよび10〜26個の塩基長を有する、請求項１記載の組成物。
【請求項１７】
修飾オリゴヌクレオチドが配列番号1〜81からなる群より選択される、請求項１記載の組成物。
【請求項１８】
１以上の修飾オリゴヌクレオチドのリボース基が、修飾された2’置換基を有する、請求項１記載の組成物。
【請求項１９】
2’置換基が、水素、メトキシ、プロポキシ、メトキシ-エトキシ、フッ素、塩素、臭素およびヨウ素からなる群より選択される、請求項18記載の組成物。
【請求項２０】
１以上の修飾オリゴヌクレオチドが3’末端遮断されている、請求項18記載の組成物。
【請求項２１】
１以上の修飾オリゴヌクレオチドが3’末端遮断されている、請求項１記載の組成物。
【請求項２２】
１以上の修飾オリゴヌクレオチドが5’末端遮断されている、請求項１記載の組成物。
【請求項２３】
組成物が医薬組成物である、請求項１記載の組成物。
【請求項２４】
組成物が栄養補助組成物である、請求項１記載の組成物。
【請求項２５】
組成物が食事補助組成物である、請求項１記載の組成物。
【請求項２６】
組成物が化粧組成物である、請求項１記載の組成物。
【請求項２７】
第３修飾オリゴヌクレオチドを含有し、ここで第３修飾オリゴヌクレオチドはアキラルな5’から3’へのヌクレオチド間ホスフェート結合によって結合された７個以上の連続するリボース基を含む約７〜75個のヌクレオチドを含み、かつ第３オリゴヌクレオチドは前記病理学的疾患または障害と関連する第３遺伝子の領域に相補的である、請求項１記載の組成物。
【請求項２８】
第４修飾オリゴヌクレオチドを含有し、ここで第４修飾オリゴヌクレオチドはアキラルな5’から3’へのヌクレオチド間ホスフェート結合によって結合された７個以上の連続するリボース基を含む約７〜75個のヌクレオチドを含み、かつ第４オリゴヌクレオチドは前記病理学的疾患または障害と関連する第４遺伝子の領域に相補的である、請求項１記載の組成物。
【請求項２９】
アキラルな5’から3’へのヌクレオチド間ホスフェート結合によって結合された７個以上の連続するリボース基を含む約７〜75個のヌクレオチドの修飾オリゴヌクレオチドを２以上含む栄養補助品。
【請求項３０】
アキラルな5’から3’へのヌクレオチド間ホスフェート結合によって結合された７個以上の連続するリボース基を含む約７〜75個のヌクレオチドの修飾オリゴヌクレオチドを２以上含む化粧組成物。
【請求項３１】
請求項30記載の化粧組成物を投与することを含む、皮膚疾患を有する個体において皮膚の外観を改善する方法。
【請求項３２】
配列番号１の領域に相補的な第１オリゴヌクレオチド、および配列番号16の領域に相補的な第２オリゴヌクレオチドを含む、精神的苦痛または勃起機能不全を患う個体において投与するのに好適な組成物。
【請求項３３】
第１および第２オリゴヌクレオチドが、アキラルな5’から3’へのヌクレオチド間ホスフェート結合によって結合された７個以上の連続するリボース基を含む約７〜75個のヌクレオチドを含有する修飾オリゴヌクレオチドである、請求項32記載の組成物。
【手続補正書】
【提出日】平成17年6月1日(2005.6.1)
【手続補正１】
【補正対象書類名】特許請求の範囲
【補正対象項目名】全文
【補正方法】変更
【補正の内容】
【特許請求の範囲】
【請求項１】
式（Ｉ）又は（ＩＩ）
【化１】
2005504735.tif 000001
で表わされる化合物。
［式（Ｉ）においては、
Ｒ1、Ｒ’1、Ｒ3及びＲ5は、互いに独立して水素原子、炭素原子数１ないし１２のアルキル基、炭素原子数５ないし１２のシクロアルキル基、炭素原子数１ないし４のアルキル置換炭素原子数５ないし１２のシクロアルキル基、フェニル基、−ＯＨ及び／又は炭素原子数１ないし１０のアルキル基により置換されたフェニル基；炭素原子数７ないし９のフェニルアルキル基、又は、−ＯＨ及び／又は炭素原子数１ないし１０のアルキル基によりフェニル基上で置換された炭素原子数７ないし９のフェニルアルキル基を表わし；
Ｒ4は、式（ＩＩＩ）
【化２】
2005504735.tif 000002
で表わされる基を表わし、
Ｒ2及びＲ21は、独立して炭素原子数２ないし１８のアルキレン基、炭素原子数５ないし７のシクロアルキレン基、又は炭素原子数１ないし４のアルキレンジ（炭素原子数５ないし７のシクロアルキレン）基を表わすか、もしくは、
基Ｒ5、Ｒ2及びＲ3は、それらが結合している窒素原子と一緒になって、５ないし１０員の複素環式環を形成し、
ｂ1は２ないし５０の数を表わし、
Ｒ22は、水素原子、炭素原子数１ないし２４の直鎖又は枝分かれ鎖アルキル基、炭素原子数２ないし２４の直鎖又は枝分かれ鎖アルケニル基、炭素原子数５ないし１２のシクロアルキル基、炭素原子数７ないし１５のフェニルアルキル基、フェニル基、又は、１ないし４個の炭素原子数１ないし４のアルキル基によりフェニル環上で置換された前記フェニル基もしくは前記フェニルアルキル基を表わすか；又は、Ｒ22は、１もしくは２個のヒドロキシ基によって置換された炭素原子数１ないし２４のアルキル基を表わし；
Ｒ23は、水素原子又はハロゲン原子を表わし；
末端基Ｔ’は水素原子又は基
【化３】
2005504735.tif 000003
（式中、Ｂは式（ＩＩＩ）で表わされる基を表わす。）を表わし、
末端基Ｔ’’は、
【化４】
2005504735.tif 000004
を表わし、
式（ＩＩ）においては、
ｐ及びｑは独立して、０、１又は２を表わすが；
但し、もしも、ｐ及びｑが両方０を表わす場合、Ｘ1、Ｘ2、Ｘ3及びＸ4は、式−ＮＲ1Ｂで表わされる基を表わし；
Ｒ7、Ｒ11、Ｒ12及びＲ13は、互いに独立して、水素原子又は炭素原子数１ないし１２のアルキル基を表わし、
Ｒ8、Ｒ9及びＲ10は、互いに独立して、炭素原子数２ないし１０のアルキレン基を表わし、
Ｘ1、Ｘ2、Ｘ3、Ｘ4、Ｘ5、Ｘ6、Ｘ7及びＸ8は、互いに独立して基−ＮＲ12Ｒ13又は−ＮＲ1Ｂ（式中、Ｂは上記で定義した式（ＩＩＩ）で表わされる基を表わす。）を表わすが
；
但し、トリアジン環の少なくとも１つは、基−ＮＲ1Ｂで置換されている。］
【請求項２】
（ａ）透明又は淡色のプラスチック、及び
（ｂ）請求項１記載の式（Ｉ）又は（ＩＩ）で表わされる化合物
からなる、紫外線の有害な影響に対して保護するプラスチック容器又はフィルム。
【請求項３】
プラスチック容器又はフィルム中に配合された請求項１記載の式（Ｉ）又は（ＩＩ）で表わされる化合物の、温室の、又は包装された食料品、飲料、薬剤、化粧品もしくは個人ケア用品の内容物を保護するための使用。
【手続補正書】
【提出日】平成17年2月4日(2005.2.4)
【手続補正１】
【補正対象書類名】明細書
【補正対象項目名】００１９
【補正方法】変更
【補正の内容】
【００１９】
本発明に使用されるＤ１アゴニストは、Ｄ１ドーパミン受容体完全アゴニストとしての性質を持つものではあるが、患者によっては、選択されるアゴニストは、若干のＤ２アゴニストの性質を持たなければならない。パーキンソン氏病を例に挙げると、Ｄ２特性の程度と種類は、患者に対する治療効果を最大限発揮するために、それに先立って使用されたレボドーパ、および／または、アポモルフィンによって引き起こされた運動障害、嘔吐、精神障害の相対的程度に応じて、個別に適合させなければならない。従って、レボドーパやアポモルフィンに対して重度の運動障害や嘔吐反応を呈した患者に対しては、Ｄ１：Ｄ２選択性の比較的大きいＤ１完全アゴニスト、または、そこにおいてはＤ２特性が高度の機能的選択性を持つＤ１完全アゴニストを投与しなければならない。ジヒドレキシジン、ジナプソリン、および、ジノキシリンは皆若干のＤ２アゴニスト特性を持つ。ジヒドレキシジンには１０倍のＤ１：Ｄ２選択性があり、ジナプソリンには５倍のＤ１：Ｄ２選択性があり、ジノキシリンは、両タイプの受容体に対して同じ高度の親和性を有する。